(57)【要約】【課題】層間剥離可能な蓋体において、容易に剥離を可能とする蓋体を低コストで提供する。【解決手段】蓋体は、前記容器本体の開口端に周縁部が接着される下部シートと、下部シートの上に積層される上部シートとを含み、蓋体の周縁部を除く領域に凸形状の部分を有する湯切り領域と、その他の領域とに、蓋体を区画するように、上部シートに形成された第１の強度弱化線と、湯切り領域において、下部シートを貫通する形で形成された少なくとも１つ以上の湯切り孔形成用ハーフカットと、他の領域において、湯切り領域の凸形状の部分の先端を取り囲むように、上部シートおよび下部シートの一方または両方に形成された第２の強度弱化線とを有し、上部シートは、少なくとも、湯切り領域において下部シートから剥離可能である。【選択図】図１
2015048134.tif 000002
【特許請求の範囲】
【請求項１】
容器本体を封止する蓋体であって、
前記容器本体の開口端に周縁部が接着される下部シートと、前記下部シートの上に積層される上部シートとを含み、
前記蓋体の周縁部を除く領域に凸形状の部分を有する湯切り領域と、その他の領域とに、前記蓋体を区画するように、前記上部シートに形成された第１の強度弱化線と、
前記湯切り領域において、前記下部シートを貫通する形で形成された少なくとも１つ以上の湯切り孔形成用ハーフカットと、
前記他の領域において、前記湯切り領域の凸形状の部分の先端を取り囲むように、前記上部シートおよび前記下部シートの一方または両方に形成された第２の強度弱化線とを有し、
前記上部シートは、少なくとも、前記湯切り領域において前記下部シートから剥離可能である、蓋体。
【請求項２】
前記第２の強度弱化線は、前記上部シートに形成され、
前記蓋体は、前記他の領域において、前記湯切り領域の凸形状の部分の先端と前記第２の強度弱化線とを含む領域を取り囲むように、前記下部シートに形成された第３の強度弱化線をさらに有し、
前記上部シートは、さらに、前記第２の強度弱化線および前記第３の強度弱化線に挟まれた領域において、前記下部シートから剥離可能である、請求項１に記載の蓋体。
【請求項３】
前記第３の強度弱化線は、前記第１の強度弱化線または前記第２の強度弱化線に重ならないように形成される、請求項２に記載の蓋体。
【請求項４】
前記第２の強度弱化線は、前記第１の強度弱化線に重ならないように形成される、請求項１〜３のいずれかに記載の蓋体。
【請求項５】
前記湯切り領域の凸形状の部分の先端は、前記第２の強度弱化線の両端を結ぶ直線を越えて当該直線から１ｍｍ以上突出するように形成される、請求項１〜４のいずれかに記載の蓋体。
【請求項６】
請求項１〜５のいずれかに記載の蓋体と、容器本体とを備える包装容器。
【発明の詳細な説明】
【技術分野】
【０００１】
本発明は、食品等が収められた容器本体を封止するための蓋体およびそれを用いた包装容器に関する。
【背景技術】
【０００２】
即席焼きそば等の湯戻し調理を要する食品は、湯戻し調理に適した蓋体で封止された包装容器に収められて販売されている。蓋体は、包装容器の開口部に周縁がシールされる下部シートと、これに剥離可能に積層される上部シートとからなる。上部シートには、剥離予定の領域である湯切り領域を囲むカットが形成されている。下部シートには、この領域と重なる箇所に、例えば複数個の環状のカットが設けられている。湯切り領域において上部シートを下部シートから剥離すると、環状のハーフカットに囲まれた下部シートの領域が、上部シートに随伴して離脱し、湯切り孔が現れる。
【０００３】
蓋体全層を部分的に容器本体から剥がして熱湯を注いだ後、湯切り領域において上部シートを下部シートから剥離し、現出した湯切り孔から熱湯を排出し、蓋体全層の全体を容器本体から剥がすことで湯戻し調理および包装容器の開封が行われる。
【先行技術文献】
【特許文献】
【０００４】
【特許文献１】特開２０００−２０３６５３号公報
【特許文献２】特開２０１１−４６３８５号公報
【特許文献３】特開２００７−８４１０９号公報
【特許文献４】特開２００７−１６１２７６号公報
【発明の概要】
【発明が解決しようとする課題】
【０００５】
特許文献１、２が開示する蓋体では、湯切り領域において上部シートをつまんで下部シートから剥離しやすくするための湯切り領域用タブが、蓋体の周縁から突出して形成されている。タブをつまんで引っ張る力を、上部シートを下部シートから剥離させるように作用させるためには、タブの下部シート側に剥離のきっかけとなるハーフカットを、引っ張り力が最初に集中する下部シートと容器本体の開口端との接着箇所の外方近傍に形成する必要がある。蓋体は、シートの積層、打ち抜き、各種カットの後、包装容器に接着されるが、接着の結果、ハーフカットの位置が、下部シートと開口端との接着箇所より外方遠方にずれた場合や、接着箇所に重なった場合、ハーフカットが剥離のきっかけとはならないため、接着時の位置決めには高い精度が要求され、接着工程を含む生産コストが高い。
【０００６】
特許文献３、４が開示する蓋体では、蓋体の周縁から突出する湯切り領域用タブは設けられていない。この場合、湯切り領域の端部において、爪先で上部シートを引っ掻いて下部シートから徐々に剥離させて浮き上がらせる等の面倒な作業が必要である。
【０００７】
本発明は、層間剥離可能な蓋体において、容易に剥離を可能とする蓋体を低コストで提供することを目的とする。
【課題を解決するための手段】
【０００８】
本発明の一態様は、容器本体を封止する蓋体であって、容器本体の開口端に周縁部が接着される下部シートと、下部シートの上に積層される上部シートとを含み、蓋体の周縁部を除く領域に凸形状の部分を有する湯切り領域と、その他の領域とに、蓋体を区画するように、上部シートに形成された第１の強度弱化線と、湯切り領域において、下部シートを貫通する形で形成された少なくとも１つ以上の湯切り孔形成用ハーフカットと、他の領域において、湯切り領域の凸形状の部分の先端を取り囲むように、上部シートおよび下部シートの一方または両方に形成された第２の強度弱化線とを有し、上部シートは、少なくとも、湯切り領域において下部シートから剥離可能である。
【発明の効果】
【０００９】
本発明によれば、層間剥離可能な蓋体において、容易に剥離を可能とする蓋体を低コストで提供することができる。
【図面の簡単な説明】
【００１０】
【図１】本発明の実施の形態に係る蓋体の平面図および下面図
【図２】本発明の実施の形態に係る蓋体の断面図
【図３】本発明の実施の形態に係る蓋体の使用例を示す図
【図４】本発明の実施の形態に係る蓋体の平面図および断面図
【図５】本発明の実施の形態に係る蓋体のハーフカットの変形例を示す図
【図６】本発明の実施の形態に係る蓋体の拡大平面図
【図７】本発明の実施例に係る蓋体の層構成を示す断面図
【発明を実施するための形態】
【００１１】
本発明の一実施形態に係る蓋体１００を説明する。図１の（ａ）は蓋体１００の平面図であり、図１の（ｂ）は蓋体１００の下面図である。また、図２に、図１のＸ−Ｘ’線に沿った蓋体１００の縦断面の模式図を示す。
【００１２】
蓋体１００は、下部シート１１０とこれに積層された上部シート１２０とを含む。蓋体１００には、第１の強度弱化線、第２の強度弱化線として、それぞれ上部シート１２０を貫通する第１のミシン目１２１と第２のミシン目１２２とが形成されている。第１のミシン目１２１は、蓋体１００を２つの領域に区画する。そのうちの１つの領域を湯切り領域１０１と呼び、もう１つの領域を他の領域１０２と呼ぶ。湯切り領域１０１は、凸形状の部分であるタブ領域１０３を含む形状となっている。タブ領域１０３は、蓋体１００の周縁部ではない箇所に設けられる。第２のミシン目１２２は、他の領域１０２に形成されている。第２のミシン目１２２は、タブ領域１０３の先端を取り囲むように形成されている。
【００１３】
また、蓋体１００には、下部シート１１０側に第１のハーフカット（湯切り孔形成用ハーフカット）１１１と、第３の強度弱化線として第２のハーフカット１１２とが形成されている。第１のハーフカット１１１は、例えば下部シート１１０を貫通する複数の環状のカットであり、湯切り領域１０１に形成されている。また、第２のハーフカット１１２は、他の領域１０２に形成されている。第２のハーフカット１１２は、タブ領域１０３の先端を取り囲むように形成されている。
【００１４】
蓋体１００は、下部シート１１０側の周縁部が容器本体の開口端に接着され、容器本体を封止する。また、下部シート１１０と上部シート１２０とは、少なくとも湯切り領域１０１と、第２のミシン目１２２および第２のハーフカット１１２に挟まれた領域とにおいて剥離可能な領域となっている。下部シート１１０および上部シート１２０は、それぞれ、紙、金属箔、プラスチックフィルムのいずれかの単層体または積層体である。また、これらの表面または層間に印刷層が含まれてもよい。また、下部シート１１０には、上部シート１２０と積層される側の反対面に、容器本体と接着するための接着層が積層されている。また、下部シート１１０と上部シート１２０との間には、少なくとも上述の剥離可能な領域において、剥離ニス層が介在している。あるいは、下部シート１１０および上部シート１２０は、異材料の界面間の弱接着によって積層されてもよい。
【００１５】
以下に、蓋体１００の使用形態の一例を説明する。まず、蓋体１００の周縁に設けられたタブ１０４を介して、他の領域１０２の一部を開封して、容器本体から剥離する。ここでは、上部シート１２０、下部シート１１０が積層された状態の蓋体１００を容器本体から一緒に剥離して開封する。これによって部分的に開封された開口に、熱湯を注入し、開封した蓋体１００の部分を元の位置に戻して再封し、所定時間待機することにより、内容物を湯戻し調理する。
【００１６】
所定時間経過後、湯切り孔から熱湯を排出する。この過程を図３を参照して説明する。図３には、容器本体２００および蓋体１００の斜視図および模式的な縦断面図を示す。まず、蓋体１００の他の領域１０２の、第２のミシン目１２２に囲まれた箇所を指等で押す（図３の（ａ））。
【００１７】
所定以上の力で押し込むことにより、第１のミシン目１２１のタブ領域１０３の先端近傍と第２のミシン目１２２とが破断する。さらに、第２のミシン目１２２と第２のハーフカット１１２とに挟まれた領域において下部シート１１０が上部シート１２０から剥離して、上部シート１２０の第２のミシン目１２２に囲まれた領域と、下部シート１１０の第２のハーフカット１１２に囲まれた領域とが、一体的に容器本体２００の内方に押し下げられる。また、これに伴って、タブ領域１０３の先端において、下部シート１１０も押し下げられ、下部シート１１０が上部シート１２０から剥離するが、上部シート１２０は押し下げられることがなく、近傍の押し下げられた領域から相対的に浮き上がり、容易につまむことができる状態となる（図３の（ｂ））。
【００１８】
そして、上方に残ったタブ領域１０３の上部シート１２０のみをつまんで下部シート１１０から引き剥がすように引っ張ることで、湯切り領域１０１の上部シート１２０を下部シート１１０から剥離して除去することができる。この際、下部シート１１０の第１のハーフカット１１１に囲まれた部分は、上部シート１２０に随伴して除去され、湯切り孔が現出する（図３の（ｃ））。このようにして現出した湯切り孔から熱湯を排出する。その後、蓋体１００全体を容器本体から剥がして除去することで、最終的な開封が行われる。
【００１９】
以上のように、本発明によれば、単に所定箇所を押し込むことのみによって上部シート１２０の一部を下部シート１１０から剥離させた状態で、近傍から相対的に浮き上がらせてつまみを形成することができ、容易に上部シート１２０を剥離させることができる。
【００２０】
また、上部シート１２０のみを剥離するためのタブを蓋体１００の周縁から突出して設ける必要がないため、容器本体２００との接着時に、高精度の位置合わせを行う必要がない。とくに、容器本体２００が、開口端のフランジ幅が小さく、位置決めの高精度化が困難な紙カップ等である場合であっても、蓋体１００を容易に接着することが可能となる。また、湯切り機能のない蓋体と同様、タブの数を同一にできるので、容器本体２００への内容物の充填、蓋体１００の容器本体２００への接着等の工程を含む充填ラインを、湯切り機能のない蓋体を用いる場合の充填ラインと共用できる。そのため、生産コストを抑制することができる。なお、蓋体１００は、図４の（ａ）に平面図を示すように、容器本体２００から蓋体１００を部分的に開封または全体を除去する際に蓋体１００をつまむためのタブ１０４を、周縁から突出して設けるのが好ましい。このタブ１０４は、剥離開始用ハーフカットを形成する必要がないため、高精度の位置合わせは不要である。
【００２１】
第１の強度弱化線、第２の強度弱化線として、第１のミシン目１２１および第２のミシン目１２２の代わりに、ハーフカットをそれぞれ設けてもよい。また、例えば、第１のミシン目１２１において、タブ領域１０３の先端部分の近傍のみミシン目に代えてハーフカットにしてもよい。これにより、タブ領域１０３の先端部分は上部シート１２０が予め破断していることになり、当該部分が破断せずに押し下げられるおそれをなくすができる。あるいは、これら以外にも、上部シート１２０を破断させやすくできれば、どのような態様のものを設けてもよい。また、第３の強度弱化線として、第２のハーフカット１１２の代わりに、ミシン目を設けてもよい。あるいは、下部シート１２０を破断させやすくできれば、どのような態様のものを設けてもよい。また、第２の強度弱化線によって、上部シート１２０だけでなく下部シート１１０も同時に破断できれば、第３の強度弱化線を設けなくてよい。この場合、第２の強度弱化線は、上部シート１２０に形成されるとは限らず、下部シート１１０に形成されてもよい。あるいは、上部シート１２０および下部シート１１０の両方に形成されてもよい。第２の強度弱化線は、例えば、図４の（ｂ）に模式的に示す縦断面図のように、蓋体１００を構成する各層の一部にカットを設けることにより形成されてもよい。各強度弱化線は、蓋体１００のバリア性を損なわないよう形成することが好ましい。また、各強度弱化線が互いに重なることによって、すなわち、蓋体１００の上面方向あるいは下面方向から見て互いに接続あるいは交差することによって、蓋体１００の全層を貫通する箇所が発生するおそれがある場合、互いに重ならないよう配置することが好ましい。
【００２２】
また、図４の（ｃ）に平面図を示すように、第１のミシン目１２１は、蓋体１００の周縁に到達してもよい。すなわち、湯切り領域１０１は、第１のミシン目１２１と蓋体１００の周縁とによって区画されてもよい。
【００２３】
また、第１のハーフカット１１１の形状は環状としたが、湯が通過できる限り限定されず、図５の（ａ）〜（ｋ）に示すバリエーションのように、楕円型、トラック型、涙型、多角形型、角を丸めた多角形型、十字、スリット等、多様な形状を採用することができる。また、第１のハーフカット１１１の個数についても限定されない。なお、第１のハーフカット１１１が閉曲線形状であって内方部分が除去されて湯切り孔が形成される場合、当該内方部分には剥離ニス層を設けないことが好ましい。
【００２４】
図６に、タブ領域１０３とその近傍の拡大平面図を示す。タブ領域１０３は、先端が第２のミシン目１２２の両端を結ぶ直線を越えて当該直線から１ｍｍ以上突出していることが好ましい。これにより、タブ領域１０３の先端を、押し込む領域に十分近づけて一定の相対的な浮き上がり量を確保し、十分なつまみやすさを実現することができる。
【００２５】
蓋体１００の形状、サイズは、容器本体２００の形状、サイズ等に応じて適宜変更可能である。また、湯切り領域１０１等の各部分の形状、サイズ、配置も適宜変更可能である。また、容器本体２００の材質、形状、サイズ等も特に限定されない。
【実施例】
【００２６】
本発明の一実施例を説明する。本実施例は、図４の（ａ）に示すように蓋体全体を除去する際につまむタブ１０４を設けた蓋体１００である。実施例は直径１０８．７ｍｍの丸型とし、第１のハーフカット（湯切り孔形成用ハーフカット）１１１として直径６ｍｍの円形のハーフカットを１２個形成した。また、タブ領域１０３の先端は、第２のミシン目１２２の両端を結ぶ直線を越えて当該直線から１ｍｍ突出するよう形成した。また容器本体２００として、開口端のフランジ幅が３ｍｍであり、接着面がポリエチレンである紙カップを用いた。
【００２７】
図７に図４のＹ−Ｙ’線に沿った実施例に係る蓋体１００の縦断面を模式的に示し、層構成を説明する。上部シート１２０は、下部シート１１０に遠い方から、ポリエチレンテレフタレート（ＰＥＴ）／インキ／紙／目止めニスの層構成を含む。また、下部シート１１０は押出しポリエチレン（ＰＥ）／ＰＥＴ／アルミニウム／アルミニウム接着樹脂（ＥＭＡＡ）／シーラント樹脂（イージーピール樹脂）の層構成を含む。アルミニウム接着樹脂とシーラント樹脂とは共押し加工により積層されている。また、上述の剥離可能な領域には、上部シート１２０と下部シート１１０との間にワックス系の剥離ニス層が設けられている。
【００２８】
実施例にかかる蓋体１００の周縁部を紙カップの開口端に接着した。接着位置が、３ｍｍほど位置ずれした場合であっても、湯切り領域１０１の剥離および湯切り作業は問題なく行うことができた。また、同径の湯切り領域を備えない蓋体用の充填ラインを改造することなく利用することができた。
【００２９】
これに対し、実施例と同一の直径で、湯切り領域用のタブが蓋体の周縁から突出して形成され、タブの下部シート側に剥離開始用ハーフカットが形成された従来の蓋体を、同一の紙カップに接着した場合、１．５ｍｍほど位置ずれすると、タブをつまんで引っ張ってもハーフカットから剥離が進行せず、湯切り領域の剥離はできなかった。また、タブの数が増えるため、同径の湯切り領域を備えない蓋体に用いる充填ラインをそのまま利用することはできず、受け台（リテーナー）の改造が必要であった。以上により、本発明の効果を確認することができた。
【産業上の利用可能性】
【００３０】
本発明は、食品等が収められた容器本体を封止するための蓋体およびそれを用いた包装容器に有用である。
【符号の説明】
【００３１】
１００    蓋体
１０１    湯切り領域
１０２    他の領域
１０３    タブ領域
１０４    タブ
１１０    下部シート
１１１    第１のハーフカット（湯切り孔形成用ハーフカット）
１１２    第２のハーフカット
１２０    上部シート
１２１    第１のミシン目
１２２    第２のミシン目
２００    容器本体
【図１】
2015048134.tif 000003
【図２】
2015048134.tif 000004
【図３】
2015048134.tif 000005
【図４】
2015048134.tif 000006
【図５】
2015048134.tif 000007
【図６】
2015048134.tif 000008
【図７】
2015048134.tif 000009